(57)【要約】【課題】移動通信端末のサイズを維持したまま、コンテンツデータを自動受信できる移動通信端末を提供する。【解決手段】この移動通信端末は、第１周波数帯の変調波を受信する第１アンテナと、第２周波数帯の変調波を受信する第２アンテナと、第１アンテナによって受信された第１周波数帯の変調波を復調し第１受信データを生成する第１受信回路と、第２アンテナによって受信された第２周波数帯の変調波を復調し第２受信データを生成する第２受信回路と、第２アンテナの取り付け状態に応じて、第２アンテナとの接触状態が変化する検出部と、検出部の接触状態に基づいて、第２アンテナが第２周波数帯の変調波を受信できる状態でないと判定した場合、第２受信回路の受信動作を停止させると共に、サーバに対し第１送信データを送信するようデータ要求を行う制御回路とを有する。【選択図】図４
2012222686.tif 000002
【特許請求の範囲】
【請求項１】
サーバから特定の移動通信端末に対して送信される第１送信データが変調された第１周波数帯の変調波を受信する第１アンテナと、
前記サーバから一斉配信される第２送信データが変調された、前記第１周波数帯とは異なる第２周波数帯の変調波を受信する第２アンテナと、
前記第１アンテナによって受信された前記第１周波数帯の変調波を復調し第１受信データを生成する第１受信回路と、
前記第２アンテナによって受信された前記第２周波数帯の変調波を復調し第２受信データを生成する第２受信回路と、
前記第２アンテナの取り付け状態に応じて、前記第２アンテナ又は前記第２アンテナに接続された接続部との接触状態が変化する検出部と、
前記検出部の接触状態に基づいて、前記第２アンテナが前記第２周波数帯の変調波を受信できる状態でないと判定した場合、前記第２受信回路の受信動作を停止させると共に、前記サーバに対し前記第１送信データを送信するようデータ要求を行う制御回路と、を有する移動通信端末。
【請求項２】
前記第１受信回路は、第１周波数帯の変調波を生成する送信機能を備えたデータ通信用送受信回路であって、
前記制御回路は、前記データ通信用送受信回路を用いて前記サーバに対し前記第１送信データを送信するようデータ要求を行う、請求項１に記載の移動通信端末。
【請求項３】
前記制御回路は、前記第２アンテナが前記第２周波数帯の変調波を受信できる状態でないと判定した場合、前記データ通信用送受信回路を起動する、請求項２に記載の移動通信端末。
【請求項４】
前記第２アンテナは、伸縮式アンテナ、折りたたみ式アンテナ、及びイヤホン式アンテナのうち少なくとも１つを含む、請求項１乃至３のうちいずれか１項に記載の移動通信端末。
【請求項５】
前記データ要求に際し、ユーザによって予め指定された特定の番組の識別情報を前記サーバに送信する、請求項１乃至４のうちいずれか１項に記載の移動通信端末。
【請求項６】
サーバと、移動通信端末を有する通信システムであって、
前記移動通信端末は、
サーバから特定の移動通信端末に対して送信される第１送信データが変調された第１周波数帯の変調波を受信する第１アンテナと、
前記サーバから一斉配信される第２送信データが変調された、前記第１周波数帯とは異なる第２周波数帯の変調波を受信する第２アンテナと、
前記第１アンテナによって受信された前記第１周波数帯の変調波を復調し第１受信データを生成する第１受信回路と、
前記第２アンテナによって受信された前記第２周波数帯の変調波を復調し第２受信データを生成する第２受信回路と、
前記第２アンテナの取り付け状態に応じて、前記第２アンテナ又は前記第２アンテナに接続された接続部との接触状態が変化する検出部と、
前記検出部の接触状態に基づいて、前記第２アンテナが前記第２周波数帯の変調波を受信できる状態でないと判定した場合、前記第２受信回路の受信動作を停止させると共に、前記サーバに対し前記第１送信データを送信するようデータ要求を行う制御回路と、を備え、
前記サーバは、前記移動通信端末からの前記データ要求に応じて、前記第１送信データを送信する、通信システム。
【請求項７】
サーバから特定の移動通信端末に対して送信される第１送信データが変調された第１周波数帯の変調波を受信する第１アンテナと、前記サーバから一斉配信される第２送信データが変調された、前記第１周波数帯とは異なる第２周波数帯の変調波を受信する第２アンテナと、前記第１アンテナによって受信された前記第１周波数帯の変調波を復調し第１受信データを生成する第１受信回路と、前記第２アンテナによって受信された前記第２周波数帯の変調波を復調し第２受信データを生成する第２受信回路と、前記第２アンテナの取り付け状態に応じて、前記第２アンテナ又は前記第２アンテナに接続された接続部との接触状態が変化する検出部とを備えた移動通信端末のコンピュータに、
前記検出部の接触状態に基づいて、前記第２アンテナが前記第２周波数帯の変調波を受信できる状態でないと判定させ、
前記第２アンテナが前記第２周波数帯の変調波を受信できる状態でないと判定した場合に、前記第２受信回路の受信動作を停止させると共に、前記サーバに対し前記第１送信データを送信するようデータ要求を行う処理を実行させるプログラム。
【請求項８】
前記移動通信端末は、第１周波数帯の変調波を生成する第１送信回路を備え、
前記コンピュータに、前記第１送信回路を用いて前記サーバに対し前記第１送信データを送信するようデータ要求を行う、請求項７に記載のプログラム。
【請求項９】
前記コンピュータに、
前記第２アンテナが前記第２周波数帯の変調波を受信できる状態でないと判定した場合、前記第１受信回路を起動する処理を実行させるための請求項７又は８に記載のプログラム。
【請求項１０】
サーバから特定の移動通信端末に対して送信される第１送信データが変調された第１周波数帯の変調波を受信する第１アンテナと、前記サーバから一斉配信される第２送信データが変調された、前記第１周波数帯とは異なる第２周波数帯の変調波を受信する第２アンテナと、前記第１アンテナによって受信された前記第１周波数帯の変調波を復調し第１受信データを生成する第１受信回路と、前記第２アンテナによって受信された前記第２周波数帯の変調波を復調し第２受信データを生成する第２受信回路と、前記第２アンテナの取り付け状態に応じて、前記第２アンテナ又は前記第２アンテナに接続された接続部との接触状態が変化する検出部とを備えた移動通信端末の通信方法であって、
前記検出部の接触状態に基づいて、前記第２アンテナが前記第２周波数帯の変調波を受信できる状態でないと判定させ、
前記第２アンテナが前記第２周波数帯の変調波を受信できる状態でないと判定した場合に、前記第２受信回路の受信動作を停止させると共に、前記サーバに対し前記第１送信データを送信するようデータ要求を行う通信方法。
【発明の詳細な説明】
【技術分野】
【０００１】
本発明は、移動通信端末、通信システム、プログラム、通信方法に関する。
【背景技術】
【０００２】
２０１２年に、音声・映像等のコンテンツのストリーミング配信及びダウンロード配信を行うマルチメディア放送が開始される。これに対し、携帯電話等の移動通信端末に、配信されるコンテンツを自動でダウンロードする機能を搭載することが企画されている。ここで、移動通信端末でマルチメディア配信されたコンテンツを受信するためには、移動通信端末にマルチメディア放送の周波数帯域の電波を受信することができるロッドアンテナやイヤホンアンテナ等を設ける必要がある。
【０００３】
しかしながら、ロッドアンテナが収納されていたり、イヤホンアンテナが付いていない等、アンテナがコンテンツデータを受信できない場合がある。この場合、受信回路を動作させてもコンテンツデータを正常に受信することができず、ユーザが気づかないうちに、電池を消費してしまうという問題がある。
【０００４】
特許文献１には、ＭＩＭＯ（Ｍｕｌｔｉｐｌｅ  Ｉｎｐｕｔ  Ｍｕｌｔｉｐｌｅ  Ｏｕｔｐｕｔ）無線通信システムを搭載したコンピュータが開示されている。このコンピュータは、送信側と受信側のそれぞれに複数のアンテナを設置し、送信データをアンテナ数だけ分割して同一周波数で変調し、同時に並列的に送信することによって、同時に送信できるデータの容量を増大させている。
【０００５】
受信側コンピュータは、複数の受信回路のそれぞれから受信信号強度を検出し、いずれかの受信回路から検出された第１の受信信号強度値と他の受信回路から検出された第２の受信信号強度値との間に有意差があるか否かを判断する。そして、両者に有意差があると判断された場合、受信信号強度値が小さい方の受信回路にアンテナが接続されていないと判断し、この受信回路の動作を停止する。このように、受信側コンピュータは、同じ周波数の電波を複数のアンテナによって受信し、受信状態のよいアンテナを用いて通信を行う。
【０００６】
また、特許文献２には、着脱式のアンテナと、無線送受信を行う無線部と、アンテナの着脱状態を検出する検出部を備えた携帯端末が開示されている。この携帯端末は、電源投入時に、検出部によってアンテナが取り外されていると判断されると、無線部を非活性化する。
【先行技術文献】
【特許文献】
【０００７】
【特許文献１】特開２００２−２９０２６４号公報
【特許文献２】特開２００８−９８９８２号公報
【発明の概要】
【発明が解決しようとする課題】
【０００８】
しかしながら、特許文献１に開示されたシステムを移動通信端末に適用させた場合、良好な受信状態のアンテナを選択するために、同じ周波数の電波を受信する複数のアンテナが設ける必要がある。ここで、マルチメディア放送に用いられる周波数帯域は、携帯電話の通話やメール、インターネット閲覧といったデータ通信に用いられる周波数帯域とは異なる。そのため、特許文献１に開示されたシステムを移動通信端末に適用した場合、移動通信端末に、データ通信に用いられるアンテナとは別に、マルチメディア放送で使用される周波数帯域の電波を受信する複数のアンテナを設けなければならず、移動通信端末の小型化を図ることができない。
【０００９】
一方、特許文献２に開示された携帯電話では、アンテナが取り外されていると判断されると、通話やメールなど全ての通信を行う無線部が非活性化されてしまうため、アンテナが取り外されていると判断された場合には、サーバからコンテンツデータを一切受信することができない。
【００１０】
本発明は、このような問題点に対してなされたものであり、移動通信端末のサイズを維持したまま、コンテンツのダウンロードの機会を損なわずに、コンテンツデータをサーバから取得することができる移動通信端末、通信システム、プログラム、通信方法を提供することを目的とする。
【課題を解決するための手段】
【００１１】
本発明に係る移動通信端末は、サーバから特定の移動通信端末に対して送信される第１送信データが変調された第１周波数帯の変調波を受信する第１アンテナと、前記サーバから一斉配信される第２送信データが変調された前記第１周波数帯とは異なる第２周波数帯の変調波を受信する第２アンテナと、前記第１アンテナによって受信された前記第１周波数帯の変調波を復調し第１受信データを生成する第１受信回路と、前記第２アンテナによって受信された前記第２周波数帯の変調波を復調し第２受信データを生成する第２受信回路と、前記第２アンテナの取り付け状態に応じて、前記第２アンテナ又は前記第２アンテナの接続部との接触状態が変化する検出部と、前記検出部の接触状態に基づいて、前記第２アンテナが前記第２周波数帯の変調波を受信できる状態でないと判定した場合、前記第２受信回路の受信動作を停止させると共に、前記サーバに対し前記第１送信データを送信するようデータ要求を行う制御回路と、を有する、ことを特徴とする。
【００１２】
また、本発明に係る通信システムは、サーバと、移動通信端末を有する通信システムであって、前記移動通信端末は、サーバから特定の移動通信端末に対して送信される第１送信データが変調された第１周波数帯の変調波を受信する第１アンテナと、前記サーバから一斉配信される第２送信データが変調された、前記第１周波数帯とは異なる第２周波数帯の変調波を受信する第２アンテナと、前記第１アンテナによって受信された前記第１周波数帯の変調波を復調し第１受信データを生成する第１受信回路と、前記第２アンテナによって受信された前記第２周波数帯の変調波を復調し第２受信データを生成する第２受信回路と、前記第２アンテナの取り付け状態に応じて、前記第２アンテナ又は前記第２アンテナに接続された接続部との接触状態が変化する検出部と、前記検出部の接触状態に基づいて、前記第２アンテナが前記第２周波数帯の変調波を受信できる状態でないと判定した場合、前記第２受信回路の受信動作を停止させると共に、前記サーバに対し前記第１送信データを送信するようデータ要求を行う制御回路と、を備え、前記サーバは、前記移動通信端末からの前記データ要求に応じて、前記第１送信データを送信する、ことを特徴とする。
【００１３】
また、本発明に係る移動通信端末の通信方法は、サーバから特定の移動通信端末に対して送信される第１送信データが変調された第１周波数帯の変調波を受信する第１アンテナと、前記サーバから一斉配信される第２送信データが変調された、前記第１周波数帯とは異なる第２周波数帯の変調波を受信する第２アンテナと、前記第１アンテナによって受信された前記第１周波数帯の変調波を復調し第１受信データを生成する第１受信回路と、前記第２アンテナによって受信された前記第２周波数帯の変調波を復調し第２受信データを生成する第２受信回路と、前記第２アンテナの取り付け状態に応じて、前記第２アンテナ又は前記第２アンテナに接続された接続部との接触状態が変化する検出部とを備えた移動通信端末の通信方法であって、前記検出部の接触状態に基づいて、前記第２アンテナが前記第２周波数帯の変調波を受信できる状態でないと判定させ、前記第２アンテナが前記第２周波数帯の変調波を受信できる状態でないと判定した場合に、前記第２受信回路の受信動作を停止させると共に、前記サーバに対し前記第１送信データを送信するようデータ要求を行うことを特徴とする。
【発明の効果】
【００１４】
本発明に係る移動通信端末及び通信システム、プログラム及び通信方法によれば、移動通信端末のサイズを維持したまま、コンテンツのダウンロードの機会を損なわずに、コンテンツデータをサーバから取得することができる。
【図面の簡単な説明】
【００１５】
【図１】本発明の実施の形態１に係る通信システムの全体構成を示すブロック図である。
【図２】本発明の実施の形態１に係る移動通信端末の全体構成を示す概要図である。
【図３】本発明の実施の形態１に係る移動通信端末の通信方法を示すフローチャートである。
【図４】本発明の実施の形態１に係る移動通信端末の構成を示すブロック図である。
【図５】本発明の実施の形態２に係る移動通信端末の全体構成を示す概要図である。
【図６】本発明の実施の形態３に係る移動通信端末の全体構成を示す概要図である。
【発明を実施するための形態】
【００１６】
以下、添付した図面を参照して本発明の実施の形態について説明する。
実施の形態１．
図１は、本発明の実施の形態１に係る通信システムの全体構成を示すブロック図である。この通信システムは、コンテンツ配信サーバ８、データ配信サーバ９、及び移動通信端末１１を備えている。コンテンツ配信サーバ８は、例えば、マルチメディア放送の放送局であり、映像や音声等のデータ（以下、コンテンツデータという）を一斉配信するサーバである。一方、データ配信サーバ９は、特定の移動通信端末１１とデータ通信を行うことにより、移動通信端末１１に搭載された通話機能、メール機能、インターネット閲覧機能を実現させている。また、コンテンツ配信サーバ８によって配信されるコンテンツデータは、データ配信サーバ９にも保持されているものとする。
【００１７】
移動通信端末１１は、コンテンツ配信サーバ８から一斉に配信されるコンテンツデータという）を受信する機能を備えている。移動通信端末１１のユーザは、予め移動通信端末１１の入力キーを操作することにより、マルチメディア放送により提供される映像や音声等によって構成される特定の番組のコンテンツデータを自動受信するように設定することができる。
【００１８】
移動通信端末１１は、データ通信用アンテナ１８、データ通信用送受信回路１７、放送波用アンテナ１４、放送波用受信回路１３、検出部１５、及び制御回路１２を備えている。
【００１９】
データ通信用アンテナ１８は、データ配信サーバ９によって送信される第１送信データが変調された第１周波数帯の変調波を受信する。第１送信データとは、データ配信サーバ９から特定の移動通信端末に対して送信されるデータである。また、第１周波数帯は、データ配信サーバ９バから特定の移動通信端末１１に対して送信されるデータを送受信するために割り当てられた周波数帯域である。通常、第１周波数帯を用いて、移動通信端末１１の通話やメールや、インターネット閲覧等に関するデータが送受信される。また、後述するように、本発明では、放送波用アンテナ１４がコンテンツデータを受信できない状況では、受信できなかったコンテンツデータが、データ配信サーバ９から第１周波数帯を介して移動通信端末１１に送信される。
【００２０】
このデータ通信用アンテナ１８は、データ通信用送受信回路１７に接続されている。データ通信用送受信回路１７は、データの送信機能と受信機能を備えている。データ通信用送受信回路１７は、データ通信用アンテナ１８によって受信された第１周波数帯の変調波を復調し、第１受信データを生成する。データ通信用送受信回路１７によって生成された第１受信データは、一時的又は非一時的な記憶手段（図示せず）に格納される。また、データ通信用送受信回路１７は、制御回路１２によって生成された送信データを、第１周波数帯の変調波によって変調し、データ通信用アンテナ１８を介して、データ配信サーバ９に送信することができる。
【００２１】
放送波用アンテナ１４は、コンテンツ配信サーバ８によって第２送信データが変調された第２周波数帯の変調波を受信する。第２送信データは、コンテンツ配信サーバ８によって一斉配信されるデータである。具体的には、第２送信データは、マルチメディア放送により提供される映像や音声等によって構成される特定の番組のコンテンツデータである。第２周波数帯は、第１周波数帯域とは異なる周波数帯域であり、映像や音声といったコンテンツデータを一斉配信するために割り当てられたマルチメディア放送用の周波数帯である。
【００２２】
放送波用アンテナ１４は、放送波用受信回路１３に接続されている。放送波用受信回路１３は、放送波用アンテナ１４によって受信された第２周波数帯の変調波を復調し、第２受信データを生成する。第２受信データは、一時的又は非一時的な記憶手段（図示せず）に格納される。保存された第２受信データは、移動通信端末１１に設けられたスピーカーやディスプレイ装置（図示せず）に出力される。これにより、スピーカーやディスプレイ装置によって、放送波によって配信された映像や音声が再生される。
【００２３】
検出部１５は、放送波用アンテナ１４が正常にコンテンツデータを受信することができるか否かを検出するよう構成されている。具体的には、検出部１５は、放送波用アンテナ１４の取り付け状態に応じて、放送波用アンテナ１４との接触状態が変化するように構成されている。検出部１５は、放送波用アンテナ１４との接触状態に応じて、検出信号を制御回路１２に出力する。なお、検出部１５の具体的な検出方法については後述する。
【００２４】
制御回路１２は、バス１６を介して、検出部１５、放送波用受信回路１３及びデータ通信用送受信回路１７に接続されている。制御回路１２は、検出部１５の検出結果に応じて、放送波用アンテナ１４が正常に第２周波数帯の変調波を受信することができるか否かを判定する。制御回路１２は、放送波用アンテナ１４が、第２周波数帯の変調波を受信できる状態でないと判定した場合には、放送波用アンテナ１４の受信動作を停止させると共に、データ配信サーバ９に対し、第１送信データとしてコンテンツデータを送信するよう、データ要求を行う。
【００２５】
例えば、制御回路１２は、放送波用アンテナ１４がコンテンツデータを受信できない状況であると判定した場合には、データ通信用送受信回路１７を起動し、データ配信サーバ９に対し、第１送信データを送信するようデータ要求を行う。このデータ要求に応じて、データ配信サーバ９は、移動通信端末１１が受信できなかったコンテンツデータを、第１送信データとして移動通信端末１１に対して送信する。例えば、移動通信端末１１から、データ配信サーバ９に対しデータ要求を行う場合には、ユーザがコンテンツの自動受信を設定した番組の識別情報を送るように構成してもよい。これにより、移動通信端末１１は、放送波用アンテナ１４によって自動受信し損ねた番組のコンテンツデータを、データ配信サーバ９から自動で取得することができる。
【００２６】
なお、データ要求に対してデータ配信サーバ９から移動通信端末１１に送信されるコンテンツデータは、直近の所定の期間内に一斉配信されたコンテンツデータのみであってもよく、データ要求後に、コンテンツ配信サーバ８から一斉配信されるコンテンツデータであってもよい。
【００２７】
図２は、本発明の実施の形態１に係る移動通信端末１１の全体構成を示す概要図である。データ通信用アンテナ１８は、図２に示すように、移動通信端末１１の筺体の内部に内蔵されている。一方、放送波用アンテナ１４は、データ通信用アンテナ１８よりも低い周波数帯域の電波を受信するため、アンテナとして使用する際に、所定の長さが確保できるように構成されている。例えば、実施の形態１に係る移動通信端末では、放送波用アンテナ１４が、円柱形状の伸縮可能な伸縮式アンテナによって構成されている。
【００２８】
この放送波用アンテナ１４は、アンテナとして使用しない場合には、移動通信端末１１の筺体内に収容される。また、放送波用アンテナ１４は、アンテナとして使用される場合には、筺体から引き出されて伸ばされた状態となる。
【００２９】
検出部１５は、放送波用アンテナ１４の底面に設けられている。検出部１５は、放送波用アンテナ１４が筐体に収容された状態で、放送波用アンテナ１４の底面と接触し、放送波用アンテナ１４が筐体から引き出された状態で、放送波用アンテナ１４と非接触となる。このように、検出部１５は、放送波用アンテナ１４の状態に応じて、放送波用アンテナ１４との接触状態が切り替わるよう構成されている。検出部１５は、接触状態に応じて変化する信号を、検出信号として制御回路１２に出力する。これにより、制御回路１２は、放送波用アンテナ１４の取り付け状態を検出することができる。
【００３０】
次に、このように構成された実施の形態１に係る移動通信端末の制御方法について説明する。図３は、本発明の実施の形態１に係る移動通信端末の制御方法を示すフローチャートである。
【００３１】
図３に示すように、制御回路１２は、コンテンツの自動受信要求があるか否かを判定する（ステップＳ１１）。前述したように、コンテンツの自動受信要求は、ユーザが予め入力キー（図示せず）を操作することにより設定することができる。そのため、制御回路１２は、この設定情報を参照することにより、コンテンツの自動受信要求があるか否かを判定することができる。コンテンツの自動受信要求がある場合（ステップＳ１１：ＹＥＳ）、ステップＳ１２に進む。コンテンツの自動受信要求がない場合（ステップＳ１１：ＮＯ）、処理を終了する。
【００３２】
ステップＳ１２において、制御回路１２は、検出部１５から入力される検出信号（接触状態）に基づいて、放送波用アンテナ１４がコンテンツデータを受信可能な状態であるか判定する。放送波用アンテナ１４がコンテンツデータを受信可能な状態であるとき（ステップＳ１２：ＹＥＳ）、制御回路１２は、放送波用受信回路１３を起動する（ステップＳ１３）。これにより、放送波用アンテナ１４は、第２周波数帯のコンテンツデータを受信する。これにより、サーバからコンテンツデータが放送波用アンテナ１４を介してダウンロードされ（ステップＳ１４）、処理が終了する。
【００３３】
一方、ステップＳ１２において、制御回路１２が、放送波用アンテナ１４がコンテンツデータを受信可能な状態でないと判断した場合（ステップＳ１２：ＮＯ）、制御回路１２は、データ通信用送受信回路１７を起動する（ステップＳ１５）。そして、制御回路１２は、データ配信サーバ９に対し、データ通信用アンテナ１８を介して、データを送信するようデータ要求を行う。これにより、データ配信サーバ９から移動通信端末１１を指定して、コンテンツデータが第１送信データとして送信される。これにより、移動通信端末１１は、データ通信用アンテナ１８を介してコンテンツデータをダウンロードすることができる（ステップＳ１６）。
【００３４】
次に、このように構成された移動通信端末１１の効果について説明する。本実施の形態１に係る移動通信端末１１は、放送波用アンテナ１４がコンテンツデータを受信可能でない状態であると判定した場合には、放送波用受信回路１６の受信動作を停止させると共に、サーバに対し、第１周波数帯域を用いてコンテンツデータを送信するようデータ要求を行う。
【００３５】
以上のように、本実施の形態１は、アンテナが十分に伸ばされていない等、放送波用アンテナ１４がコンテンツデータを受信可能でない場合であっても、放送波用受信回路１３が無駄に動作して、ユーザが知らない間に電池が消費されてしまう事態を回避することができる。また、放送波用アンテナ１４がコンテンツデータを受信可能でない場合には、データ通信用送受信回路１７を起動することにより、データ通信用アンテナ１８及びデータ通信用送受信回路１７を用いて、データ配信サーバ９からコンテンツデータをダウンロードすることができる。これにより、アンテナが十分に伸ばされていない状況にあっても、筺体に内蔵されたデータ通信用アンテナ１８を介して、コンテンツデータをダウンロードすることができる。
【００３６】
また、本実施の形態１では、放送波用アンテナ１４がコンテンツデータを受信可能でない場合には、従来の移動通信端末１１に設けられていたデータ通信用アンテナ１８及びデータ通信用送受信回路１７を用いてコンテンツデータをダウンロードする。そのため、追加してアンテナや受信回路を設ける必要がなく、移動通信端末１１のサイズを維持したまま、上記の効果を得ることができる。
【００３７】
なお、検出部１５は、放送波用アンテナ１４の設置状態を検出することができればどのような方法・位置に設置してもよい。例えば、図２の例では、検出部１５は、放送波用アンテナ１４の一部と接触可能に設けられているが、放送波用アンテナ１４の設置状態を検出することができれば、放送波用アンテナ１４に直接又は間接的に接続された接続部品に接触可能となるように構成してもよい。
【００３８】
また、実施の形態１では、放送波用アンテナ１４がコンテンツデータを受信可能でない場合に、検出部１５と接触するよう構成されているが、放送波用アンテナ１４がコンテンツデータを受信可能である場合に検出部１５に接触するよう構成してもよい。
【００３９】
なお、上記の説明では、本発明の実施の形態１をコンテンツ配信サーバ８、データ配信サーバ９及び移動通信端末を備えた通信システムとして構成したが、本発明は、これに限られるものではない。例えば、本発明は、図４に示すように制御回路１２、データ通信用送受信回路１７、データ通信用アンテナ１８、放送波用受信回路１３及び放送用アンテナ１４を備えた移動通信端末として実施することができる。なお、各構成要素については、上記で説明した通りであるため、同一符号を付すことによりその説明を省略する。
【００４０】
実施の形態２．
図５は、本発明の実施の形態２に係る移動通信端末２１の構成を示す概要図である。実施の形態２に係る移動通信端末２１の特徴は、放送波用アンテナ２４が、折りたたみ式アンテナによって構成されている点にある。この放送波用アンテナ２４は、アンテナとして使用しない場合には、折りたたんだ状態で筺体の側面に収容され、アンテナとして使用される場合には、筺体に取り付けられた部分の反対側の端部が、筺体の外側に開く（突出する）状態となる。放送波用アンテナ２４は、折りたたまれた状態で、先端部が検出部１５と接触し、筐体の外側に開いた状態で検出部１５と非接触になる。
【００４１】
このように、本発明は、折りたたみ式アンテナを有する移動通信端末にも適用することができる。なお、全体構成のブロック図及びフローチャートについては、図１及び図３と略同一であるため、その説明を省略する。
【００４２】
実施の形態３．
図６は、本発明の実施の形態３に係る移動通信端末の構成を示す概要図である。実施の形態３に係る移動通信端末３１の特徴は、放送波用受信アンテナ３４が、イヤホン式アンテナとして構成されている点にある。放送波用受信アンテナ３４は、図６に示すように、先端に二股に分かれた左右のイヤホンが取り付けられている。放送波用受信アンテナ３４は、アンテナとして使用しない場合には、筺体から取り外され、アンテナとして使用される場合には、筐体の外側に接続された装着部に装着される。
【００４３】
実施の形態３に係る移動通信端末３１では、検出部１５が、放送波用受信アンテナ３４が装着される装着部に設けられている。放送波用受信アンテナ３４は、筺体から取り外された状態で、検出部１５と非接触となり、筐体の側面に装着された常態で検出部１５と接触する。このように、本発明は、イヤホン式アンテナを有する移動通信端末にも適用することができる。
【００４４】
なお、本発明は、上記の実施の形態１乃至３の態様に限られず、種々の設計変更を行うことができる。例えば、図１では、コンテンツ配信サーバ８とデータ配信サーバ９がそれぞれ設けられているが、コンテンツ配信サーバ８とデータ配信サーバ９の機能を、１つのサーバに集約させてもよい。
【００４５】
上述の実施の形態では、本発明をハードウェアの構成として説明したが、本発明は、これに限定されるものではない。本発明は、図３の任意の処理を、ＣＰＵ（Central Processing Unit）にコンピュータプログラムを実行させることにより実現することも可能である。）
【００４６】
このプログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ−ＲＯＭ（Read Only Memory）、ＣＤ−Ｒ、ＣＤ−Ｒ／Ｗ、半導体メモリ（例えば、マスクＲＯＭ、ＰＲＯＭ（Programmable ROM）、ＥＰＲＯＭ（Erasable PROM）、フラッシュＲＯＭ、ＲＡＭ（random access memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【符号の説明】
【００４７】
１１、２１、３１  移動通信端末
１３  放送波用受信回路
１４  放送波用アンテナ
１５  検出部
１６  バス
１７  データ通信用送受信回路
１８  データ通信用アンテナ
【図１】
2012222686.tif 000003
【図２】
2012222686.tif 000004
【図３】
2012222686.tif 000005
【図４】
2012222686.tif 000006
【図５】
2012222686.tif 000007
【図６】
2012222686.tif 000008